(57)【特許請求の範囲】
【請求項１】
遊技者に対して払い出されるパチンコ玉を一時的に貯留し、かつ排出のできる玉受皿を備えたパチンコ機に対応して設けられ、その玉受皿から排出されるパチンコ玉を計数した後、パチンコ島台内に設けられた回収樋に返却するパチンコ玉の返却装置において、
前記パチンコ機の玉受皿より落下されるパチンコ玉を受け入れ、貯留可能な玉受部を有する収納体は、パチンコ島台内に収納される収納位置と、前記玉受部が前記パチンコ機の玉受皿の少なくとも排出部下方を覆う玉受皿下方位置と、の少なくとも２位置間を移動するようにパチンコ島台に対して出没自在に設けられ、
前記収納体には、前記玉受部と、該玉受部の玉を返却するための返却口と、前記返却口からの玉の流出を阻止及び解除することが可能な阻止手段と、前記収納体の前板前面に位置する前記阻止手段の操作ボタンと、前記返却口から前記パチンコ島台に向けて下方に傾斜するように配設されるガイドレールと、該ガイドレールにて誘導される返却玉を計数する返却玉計数器と、前記収納体の後板に形成され、前記ガイドレールにて誘導される返却玉を該収納体の外部に排出する排出口と、が設けられ、
前記玉受部の底面は、遊技者側に向けて下方に傾斜するとともに、その傾斜下位側が前記返却口に連設されており、
前記パチンコ島台内には、前記玉受皿下方位置に位置する収納体の前記排出口の下方位置から前記回収樋に向けて下方に傾斜する傾斜面が設けられ、少なくとも前記収納体が前記玉受皿下方位置に位置している状態において、前記返却口から流出した返却玉が、前記ガイドレールと前記傾斜面とにより構成される一連の返却玉流路により前記回収樋に向けて誘導されるようになっており、
前記ガイドレールは、前記収納体が前記収納位置に収納された状態において、前記傾斜面の上方位置に位置することを特徴とするパチンコ玉の返却装置。
【発明の詳細な説明】
【０００１】
【発明の属する技術分野】
本発明は、パチンコ島台に列設されるパチンコ機より遊技者に対して賞球として払い出されるパチンコ玉を計数してパチンコ島台内に返却することができるパチンコ玉の返却装置に関する。
【０００２】
【従来の技術】
従来、パチンコ機より賞球として払い出されるパチンコ玉を計数して、パチンコ島台内に返却することができるパチンコ玉の返却装置としては、例えば特開平６−２０５８７６号公報や、特開平６−５８９８２号公報に開示されたもの等がある。
【０００３】
前記両者のパチンコ玉の返却装置は、各々のパチンコ機の下部に設けられる下皿より落下するパチンコ玉を受ける玉受皿を有してなり、少なくともこの玉受皿が常時各パチンコ機の下皿下方に配設されているものであった。
【０００４】
【発明が解決しようとする課題】
しかしながら、このようなパチンコ玉の返却装置にあっては、少なくとも前記玉受皿がパチンコ機下部に突設される下皿の下方位置に固設されているため、前記玉受皿等が遊技者の足等にぶつかり、邪魔になるといった問題があった。
【０００５】
また、常時前記玉受皿内が外部に対して開放状態にあると、玉受皿内にパチンコ玉以外のゴミや飲物等が故意に又は何らか要因により投入される可能性が多く、使用時に玉詰りが発生したり、玉計数器等の種々の機器に支障をきたす恐れがあった。
【０００６】
本発明は、上記問題点に着目してなされたもので、各パチンコ機より払い出されるパチンコ玉を容易にパチンコ島台に返却できるとともに、遊技者の邪魔になることなく、かつ玉受皿内へのいたずら等を軽減できるパチンコ玉の返却装置を提供することを目的としている。
【０００７】
【課題を解決するための手段】
上記問題を解決するために、本発明のパチンコ玉の返却装置は、
遊技者に対して払い出されるパチンコ玉を一時的に貯留し、かつ排出のできる玉受皿を備えたパチンコ機に対応して設けられ、その玉受皿から排出されるパチンコ玉を計数した後、パチンコ島台内に設けられた回収樋に返却するパチンコ玉の返却装置において、
前記パチンコ機の玉受皿より落下されるパチンコ玉を受け入れ、貯留可能な玉受部を有する収納体は、パチンコ島台内に収納される収納位置と、前記玉受部が前記パチンコ機の玉受皿の少なくとも排出部下方を覆う玉受皿下方位置と、の少なくとも２位置間を移動するようにパチンコ島台に対して出没自在に設けられ、
前記収納体には、前記玉受部と、該玉受部の玉を返却するための返却口と、前記返却口からの玉の流出を阻止及び解除することが可能な阻止手段と、前記収納体の前板前面に位置する前記阻止手段の操作ボタンと、前記返却口から前記パチンコ島台に向けて下方に傾斜するように配設されるガイドレールと、該ガイドレールにて誘導される返却玉を計数する返却玉計数器と、前記収納体の後板に形成され、前記ガイドレールにて誘導される返却玉を該収納体の外部に排出する排出口と、が設けられ、
前記玉受部の底面は、遊技者側に向けて下方に傾斜するとともに、その傾斜下位側が前記返却口に連設されており、
前記パチンコ島台内には、前記玉受皿下方位置に位置する収納体の前記排出口の下方位置から前記回収樋に向けて下方に傾斜する傾斜面が設けられ、少なくとも前記収納体が前記玉受皿下方位置に位置している状態において、前記返却口から流出した返却玉が、前記ガイドレールと前記傾斜面とにより構成される一連の返却玉流路により前記回収樋に向けて誘導されるようになっており、
前記ガイドレールは、前記収納体が前記収納位置に収納された状態において、前記傾斜面の上方位置に位置することを特徴としている。
この特徴によれば、玉受部が必要な時は玉受皿下方位置まで開放して使用すれば良く、不要な時はパチンコ島台内に収納しておくことができるため、遊技者に対してより大きな遊技スペースを提供することが出来る。また、払い出されたパチンコ玉を一時的に貯留し、その貯留玉にて遊技することができるばかりか、収納体を収納可能とすることにより不使用時における玉受部内へのゴミや飲み物等の流入の恐れがなくなり、収納体内の種々の機器等の破損が軽減される。
【００１２】
【発明の実施の形態】
以下、本発明の実施の形態を図面に基づいて説明していくと、まず図１には、本発明の適用されたパチンコ島台１の遊技面が示されており、該パチンコ島台１の遊技面には複数のパチンコ機２が列設されている。前記パチンコ機２は図２、図３にも示されるように、パチンコ島台１のコシ板に相当する下部板３上端に載置される水平板４上に配設されるようになっている。
【００１３】
パチンコ機２の下部前面には、パチンコ機２より賞球として払い出されるパチンコ玉を一時的に貯留し、ハンドル部５に導く上皿６と、該上皿６の下方に位置し、上皿６よりオーバーフローするパチンコ玉を一時的に貯留可能とする下皿７とがそれぞれ突設されている。
【００１４】
また、各々のパチンコ機２の上部には、適宜情報を表示可能とするディスプレイ部及び店員の呼出し等の適宜操作手段等を有する表示手段８と、遊技者の獲得した総玉数が記録されるカード又はレシート等の発券装置９が設けられている。尚、この発券装置９は、例えば遊技者固有の適宜情報記録媒体の差込み口を有し、該情報記録媒体に情報を記録出来る情報記録装置であってもよい。
【００１５】
さらに各々パチンコ機２の下方位置には、本発明のパチンコ玉の返却装置の玉受部としての玉受面１０（図２、３参照）を有する収納体１１が、パチンコ島台１の下部板３前面に対して出没自在に設けられている。また、図１の２３は、同じく下部板３に対して水平方向にスライド可能に設けられた載置台であり、遊技者の荷物や飲物等を載置できるようになっている。
【００１６】
前記収納体１１は、特に図２、３に示されるように上面が開口する箱体からなり、下部板３に形成された開口１２内に前後方向に摺動自在に嵌装されている。そしてこの収納体１１の内部には、後板１０ａと段違いに設けられた２枚の上・下部底板１０ｂ、１０ｃと前記箱体の内側面とから構成される玉受面１０が形成されている。また、この箱体前板１１ｂ上面には取手１８が凹設されている。なお、取手１８は凸設されたものでもよい。
【００１７】
前記玉受面１０の下部底板１０ｂ上面には、導電性を有し、かつ反発弾性が３％〜１０％の特性を有するゴムシート１３が敷設されており、後述するパチンコ機２の下皿５より落下するパチンコ玉が大きく跳びはねて外部にこぼれないようになっているとともに、前記ゴムシート１３は適宜箇所に接地されているため、パチンコ玉に蓄積された電荷を除去できるようになっている。
【００１８】
玉受面１０内に収容されるパチンコ玉は、前記上・下部底板１０ｂ、１０ｃとの隙間に形成される返却口１４を介して該玉受面１０下方に敷設されるガイドレール１５を通過し、収納体１１の後板１１ａに形成される排出口１６より外部に排出されるようになっている。また、前記ガイドレール１５途中には、玉計数器１７が配設されており、返却されるパチンコ玉の数がここで計数されるようになっている。
【００１９】
さらに、前記下部底部１０ｂの返却口１４近傍には、ガイドレール１５へのパチンコ玉の流出を阻止できる阻止手段としての係止爪を有する係止装置１９が設けられている。この係止装置１９は、収納体１１前板１１ｂの前面に設けられる操作ボタン２０と電気的または機械的に連係されており、該操作ボタン２０を操作することで、玉受面１０内へのパチンコ玉の貯留及び返却を自由に行えるようになっている。
【００２０】
下部板３に形成された開口１２内側面所定箇所には、前記収納体１１の位置を確認できる検知センサ２１が固着されており、図２、３のように前記収納体１１が下部板３の前面より前方に引出され、下皿５より落下するパチンコ玉を受入れ可能な位置に達した時に、制御装置２２に収納体１１が開放されたという信号を送出するようになっている。
【００２１】
パチンコ機２の下皿５は、特に図４に示されるように、所定箇所にパチンコ機２内のパチンコ玉の流通路（図示せず）の流出口２４が開設されたパチンコ玉の貯留部２５と、適宜凹設された灰皿部２６とからなる。前記貯留部２５の底板部には、パチンコ玉を下方に排出するための排出口２７が開設されているとともに、該排出口２７を開閉可能とする開閉板２８が設けられている。この開閉板２８はバネ２９により常時前記排出口２７を閉塞するように付勢されており、前記開閉板２８の前端片２８ａの前面に突設される取手３０を図４中矢印方向にスライドさせることで、開放することができるようになっている。
【００２２】
前記開閉板２８の前端片２８ａ近傍には、特に図２〜図４に示されるように、先端にロッド３１ａが伸縮自在に嵌挿された電磁アクチュエータ３１が固設されており、通常は前記ロッド３１ａが前端片２８ａの側辺に当接され、開閉板２８のスライド移動を規制するようになっている。この電磁アクチュエータ３１は前述した検知センサ２１と制御装置２２を介して電気的に連結されており、前記検知センサ２１から収納体１１が開放されたという信号が制御装置２２を介して受信されるとロッド３１ａを収縮させるようになっている。即ち収納体１１が図３に示されるような開放位置に到達した時にのみ、ロッド３１ａと前端片２８との係合が解除され、開閉板２８の開放が可能になる。この実施例では電気的検知・駆動を採用しているが、適宜機械的な手段に代えて上記操作を行うようにしてもよい。
【００２３】
このように構成された本発明のパチンコ玉の返却装置の使用方法及び作用を図面に基づいて説明していくと、通常、収納体１１は、図２に示されるように、そのほとんどが、パチンコ島台１の下部板３の内に収納されているので、遊技者の邪魔になること等がなく、遊技者に対してより広いスペースを提供出来るとともに、特に不要な時に少なくとも玉受面１０内が外部に露呈されることがないため、ゴミや飲物等が流入して玉計数器１７等の機器が破損されることがなく、また、いたずらや不正行為等を軽減することができる。
【００２４】
そして、例えば遊技者に大当り等が発生し、下皿５の貯留部２５内に払い出されたパチンコ玉を排出する際には、取手１８を介して収納体１１を少なくとも下皿５の排出口２７の略鉛直下方が玉受面１０により覆われる位置まで引出し、取手３０を介して開閉板２８をスライドさせて排出口２７を開放すればよい。
【００２５】
尚、本実施の形態においては、収納体１１の検知センサ２１と下皿５の開閉板２８のロック手段としての電磁アクチュエータ３１とにより、収納体１１が所定の位置に引出されるまで下皿５の排出口２７が開放されないようになっているので、遊技者が収納体１１を開放し忘れていたり、玉受面１０の少なくとも一部が排出口２７の略鉛直下方を覆う位置まで完全に引出されていない時に貯留部２５内のパチンコ玉を排出して外部にこぼしてしまうといった誤操作を防止できるようになっている。
【００２６】
こうして排出口２７を開放し、下皿５の排出部２７より排出されるパチンコ玉は、玉受面１０内のゴムシート１３上に落下されるので、パチンコ玉が外部にこぼれることなく、確実に収容される。通常は係止装置１９により返却口１４のパチンコ玉の流通が阻止されているので、玉受面１０内にパチンコ玉を貯留してプレイすることも可能となっている。ここで、例えば遊技者がプレイを終了したい場合や、あるいはさらに大当り等が発生してパチンコ玉を返却したい場合には、操作ボタン２０を介して返却口１４を開放すればよい。返却されるパチンコ玉は図４に示されるように玉計数器１７を通過する際にカウントされた後、排出口１６、下部板３の傾斜面３ａを通過してパチンコ島台１内下部長手方向に配設される回収樋（図示略）等に返却されることになる。
【００２７】
前記玉計数器１７により計数された数値は各パチンコ器２の適宜管理装置（図示せず）等に記憶されるようになっている。よって例えば遊技者がプレイを終了し、図１に示される発券装置９の適宜スイッチを押せば、景品と交換するためのカード又はレシート等に記録されることになり、また、表示装置８等に貯留玉の数値を表示させることも出来る。なお、貯留玉の返却装置を設ければ、一度返却してしまったパチンコ玉をその記録された数値に基づいて再び遊技者に対して払い出すこと等も可能になる。
【００２８】
次に図５〜図８には、本発明のパチンコ玉の返却装置の他の実施の形態が示されている。本実施の形態において、前述の実施の形態と相違するのは、玉受面１０を有する収納体１１の形状及びその収納体１１のパチンコ島台１の下部板３に対する引出し収納方法と、その引出し収納操作を、電動装置４０により自動的に行えるようにした点であり、その他の構造は前述の実施形態と同様であるため、同様の符号を付し、以下それらの説明は省略する。
【００２９】
まず図５に示されるように、本実施の形態における収納体１１は、断面略扇形状に形成されており、その最下端部は下部板３所定位置にある軸部材４１により回動可能に軸支されている。このため、図５に示される収納状態から図６に示すように該軸部材４１を中心にして上部を回動させることで、玉受面１０を開放できるようになっている。
【００３０】
前記収納体１１内玉受面１０下方には図８に示されるような電動装置４０が設けられている。電動装置４０は、下部板３適宜箇所に固設されるモーター４２の先端の歯車４３に噛合する大歯車４４、及び両端に前記ラック４５に噛合する小歯車４６を有する連結軸４７とから構成されており、モーター４２の駆動により収納体１１が自動的に開放・収納の動作を行うようになっている。
【００３１】
そして前記モータ４２は収納体１１の前板上面に形成される操作部４８の開放・収納スイッチ４９、５０（図７参照）にそれぞれ連結されているため、使用者はこの操作部４８を介して容易に収納体１１を開放・収納できるようになっている。尚５１は玉受面１０の返却口１４に設けられる係止装置１９の操作ボタンである。
【００３２】
尚、このように開放・収納動作を適宜電動装置を用いて作動させる場合、例えば前記モーター４２に、モーターにかかる負荷値を検出する検出器を設置しておき、開放・収納動作時において収納体１１が何らかの障害物に当たった場合等、モーター４２に所定値以上の負荷がかかることで、一時的に作動を停止したり、その時点で逆動作をさせるようにしておけば、遊技者の事故を防止することが出来る。
【００３３】
このように収納体１１の形状、及びその引出し収納の態様は上記実施例に限定されるものではなく、種々に変形可能であり、少なくとも玉受面１０が収納時にパチンコ島台内に収納される形態を実現すればよい。また、開放・収納操作は、手動、又は自動で行われてもよいことは勿論のこと、開放動作や収納動作を人為的でなく、種々の遊技状態に応じて自動的に行うことも可能である。
【００３４】
以上、本発明の実施例を図面により説明してきたが、具体的な構成はこれら実施例に限られるものではなく、本発明の要旨を逸脱しない範囲における変更や追加があっても本発明に含まれる。例えば、下皿７の近傍直下まで玉受面１０を誘導するように収納体１１が前後上下に、または傾斜して移動するものでもよい。また本実施例では、玉受部を玉受面として表現したが、適宜レール等を複数配列して玉を所定方向に案内するものも玉受面の定義に入る。
【００３５】
【発明の効果】
本発明によれば、次のような効果が得られる。
【００３６】
（ａ）請求項１の発明によれば、玉受部が必要な時は玉受皿下方位置まで開放して使用すれば良く、不要な時はパチンコ島台内に収納しておくことができるため、遊技者に対してより大きな遊技スペースを提供することが出来る。また、払い出されたパチンコ玉を一時的に貯留し、その貯留玉にて遊技することができるばかりか、収納体を収納可能とすることにより不使用時における玉受部内へのゴミや飲み物等の流入の恐れがなくなり、収納体内の種々の機器等の破損が軽減される。
【００４１】
【図面の簡単な説明】
【図１】本発明が適用されるパチンコ島台の要部の斜視図である。
【図２】図１Ａ−Ａ断面図である。
【図３】図２に対応する作用を示す断面図である。
【図４】図３のＢ−Ｂ断面図である。
【図５】本発明の他の実施態様を示す要部概略図である。
【図６】図５に対応する作用を示す断面図である。
【図７】図６のＣ−Ｃ断面図である。
【図８】図６のＤ−Ｄ断面図である。
【符号の説明】
１          パチンコ島台
２          パチンコ機
３          下部板
３ａ        傾斜面
４          水平板
５          ハンドル
６          上皿
７          下皿（玉受皿）
８          表示装置
９          発券装置
１０          玉受面（玉受部）
１０ａ、１１ａ  後板
１０ｂ        下部底板
１０ｃ        上部底板
１１          収納体
１１ｂ        前板
１２          開口
１３          ゴムシート（低反発部材）
１４          返却口
１５          ガイドレール
１６          排出口
１７          玉計数器
１８、３０    取手
１９          係止装置
２０          操作ボタン
２１          検知センサ
２２          制御装置
２３          載置台
２４          流出口
２５          貯留部
２６          灰皿部
２７          排出口（排出部）
２８          開閉板
２８ａ        前端辺
２９          バネ
３１          電磁アクチュエータ
３１ａ        ロッド
４０          電動装置（駆動装置）
４１          軸部材
４２          モーター
４３          歯車
４４          大歯車
４５          ラック
４６          小歯車
４７          連結軸
４８          操作部
４９、５０    開放・収納スイッチ
５１          操作ボタン
【図１】
0004104089.tif 000002
【図２】
0004104089.tif 000003
【図３】
0004104089.tif 000004
【図４】
0004104089.tif 000005
【図５】
0004104089.tif 000006
【図６】
0004104089.tif 000007
【図７】
0004104089.tif 000008
【図８】
0004104089.tif 000009